(57)【要約】【課題】メモリカードを利用した映像印刷方法及び装置を提供する。【解決手段】外部のメモリカードから読み込んだ映像データに該当する映像を印刷する映像印刷部と映像印刷部に連結自在なパソコンとで実行されるこの方法は，映像印刷部で圧縮された映像データを確認するか生成してパソコンに映像番号と共に伝送され，映像印刷部から伝送された圧縮された映像データ及び映像番号を貯蔵し，映像印刷部から提供された映像データをパソコンによりディスプレイする段階と，映像印刷部からの印刷要求に応じ，ディスプレイされた映像データを映像印刷部で印刷する段階とを備えることを特徴とする。よって，低廉な費用でユーザの願う映像をメモリカードから選択的に読み込んで簡便に印刷できる。【選択図】　図１
2004032783.tif 000002
【特許請求の範囲】
【請求項１】
外部のメモリカードから読み込まれた映像データに該当する映像を印刷する映像印刷部と前記映像印刷部に連結自在な情報処理装置とで行われる映像印刷方法において：
前記映像印刷部にて縮小された映像データを確認するか生成する段階と，
前記情報処理装置に映像番号と共に伝送し，前記映像印刷部から伝送された前記縮小された映像データ及び前記映像番号を貯蔵し，前記映像印刷部から提供された映像データを表示する段階と，
前記映像印刷部での印刷要求に応じ，前記表示された映像データを前記映像印刷部で印刷する段階とを備えることを特徴とする，映像印刷方法。
【請求項２】
前記映像印刷方法は，
前記映像データを有する前記メモリカードが挿入されて前記映像印刷部と前記情報処理装置とが連結されているか否かを判断する段階をさらに含み，
前記映像データを有する前記メモリカードが挿入されて前記映像印刷部と前記情報処理装置とが連結されていると判断されれば，前記縮小された映像データは確認されるか，生成されることを特徴とする，請求項１に記載の映像印刷方法。
【請求項３】
前記映像印刷方法は，
前記表示された映像データの印刷が要求されていないと判断された場合，前記情報処理装置に映像データを表示し続けることを特徴とする，請求項１又は２に記載の映像印刷方法。
【請求項４】
前記映像印刷部と前記情報処理装置とが連結されているか否かを判断する段階は，
前記メモリカードが前記映像印刷部に挿入されたと判断された場合，前記メモリカードに保存されたデータが前記映像データであるか否かを判断する段階と，前記メモリカードに保存されたデータが前記映像データであると判断されれば，前記映像印刷部と前記情報処理装置とが連結されているか否かを判断する段階とを備えることを特徴とする，請求項１，２，または３項のうちいずれか１項に記載の映像印刷方法。
【請求項５】
前記縮小された映像データを確認したり生成する段階は，
前記メモリカードから読み込まれた前記映像データに前記縮小された映像データが含まれているか否かを判断する段階と，
前記メモリカードから読み込まれた映像データに前記縮小された映像データが含まれていないと判断されれば，前記読み込まれた映像データを縮小する段階とを備えることを特徴とする，請求項１，２，３，または４項のうちいずれか１項に記載の映像印刷方法。
【請求項６】
前記映像データを表示する段階は，
前記映像印刷部から前記に提供されて前記映像印刷部にて前記ユーザにより選択された前記映像番号に相応する映像データを前記情報処理装置に読み込む段階と，
読み込まれた前記映像データを表示する段階とを備えることを特徴とする，請求項１，２，３，４，または５項のうちいずれか１項に記載の映像印刷方法。
【請求項７】
前記映像データを読み込む段階は，
以前の映像データが表示されている時に前記映像印刷部から現在の映像番号として提供される前記映像番号を無視する段階と，
前記以前の映像データが表示された後で，前記映像印刷部から提供される前記映像番号の最後に相応する前記映像データを読み込む段階とを備えることを特徴とする，請求項６に記載の映像印刷方法。
【請求項８】
前記映像データを読み込む段階は，
前記情報処理装置が新しい前記映像番号を提供される準備ができている時，選択された前記映像番号を前記情報処理装置に提供する段階を備えることを特徴とする，請求項６に記載の映像印刷方法。
【請求項９】
モニタを有する前記情報処理装置で行われる前記映像印刷方法のうち少なくとも前記映像データを表示する段階は，，
前記映像データを前記モニタの所定位置に所定大きさで表示することを特徴とする，請求項１に記載の映像印刷方法。
【請求項１０】
前記映像印刷方法のうち少なくとも前記映像データを表示する段階は，
前記映像データを可変されうる位置に可変されうる大きさで表示することを特徴とする，請求項１に記載の映像印刷方法。
【請求項１１】
前記所定大きさは前記モニタが表示する画面の一部分に該当することを特徴とする，請求項９に記載の映像印刷方法。
【請求項１２】
前記映像データを印刷する段階は，
前記ユーザ印刷要求に応答して前記表示された映像データを前記メモリカードから前記映像印刷部で読み込む段階と，
前記読み込まれた映像データをイメージ処理する段階と，
前記イメージ処理された映像データを印刷する段階とを備えることを特徴とする，請求項１に記載の映像印刷方法。
【請求項１３】
外部のメモリカードから読み込まれた映像データに該当する映像を印刷する映像印刷部と前記映像印刷部に連結自在なモニタを有する情報処理装置とを利用して映像を印刷する映像印刷装置において：
前記映像印刷部は，
前記映像データを有する前記メモリカードと前記映像印刷部との挿入状態及び前記映像印刷部と前記情報処理装置間の連結状態を確認し，確認された結果を制御信号として出力する印刷準備部と，
前記メモリカードから読み込まれた前記映像データを処理し，前記制御信号に応じ，縮小された映像データを確認するか生成して前記情報処理装置に映像番号と共に伝送するデータ処理部と，
前記映像番号を選択して，前記映像番号に相応する前記映像データの印刷を要求するための印刷要求信号を出力するキー操作部と，
前記印刷要求信号に応答して前記データ処理部から入力した前記イメージ処理された映像データを印刷する印刷部とを備え，
前記情報処理装置は，
前記データ処理部から伝送された前記縮小された映像データと前記映像番号とを貯蔵する貯蔵部と，
前記映像印刷部で前記映像番号に相応する映像データを前記貯蔵部から読み込んで前記モニタに表示する表示制御部とを備えることを特徴とする，映像印刷装置。
【請求項１４】
前記印刷準備部は，
前記メモリカードが挿入されているか否かをセンシングし，センシングされた結果を出力するセンシング部と，
前記センシングされた結果に応じ，前記メモリカードから読み込まれたデータの種類を検査する第１データ検査部と，
前記第１データ検査部から入力した検査された結果に応じ，前記情報処理装置と前記映像印刷部間の連結状態を確認し，確認された結果を前記制御信号として出力する連結確認部とを備えることを特徴とする，請求項１３に記載の映像印刷装置。
【請求項１５】
前記データ処理部は，
前記制御信号に応じ，前記メモリカードから読み込まれた前記映像データに前記圧縮された映像データが含まれているか否かを検査する第２データ検査部と，
前記第２データ検査部で検査された結果に応じ，前記メモリカードから読み込まれた映像データを圧縮するデータ圧縮部と，
前記メモリカードから読み込まれた前記映像データそれぞれに固有に割り当てられる前記映像番号を生成する映像番号生成部と，
前記第２データ検査部で検査された結果に応答して前記メモリカードまたは前記データ圧縮部から入力した前記圧縮された映像データを前記映像番号生成部から入力した前記映像番号と共に前記情報処理装置に伝送し，前記キー操作部から入力した前記選択された映像番号を前記情報処理装置に伝送するデータ伝送部と，
前記メモリカードから読み込まれた前記映像データのＲＧＢフォーマットをＣＭＹＫフォーマットに変換し，変換されたＣＭＹＫフォーマットを有する映像データを前記印刷部に出力するフォーマット変換部とを備えることを特徴とする，請求項１３又は１４に記載の映像印刷装置。
【請求項１６】
前記表示制御部は，
前記キー操作部から発生して前記映像印刷部から伝送された前記選択された映像番号に相応する映像データを前記貯蔵部から読み込み，読み込まれた前記映像データを前記モニタに出力するデータ読込み部を備えることを特徴とする，請求項１３，１４，または１５項のうちいずれか１項に記載の映像印刷装置。
【請求項１７】
前記表示制御部は，
前記読み込まれた映像データが表示される前記モニタの位置及び前記表示される映像データの大きさを決定する位置及び大きさ決定部を備え，
前記モニタは前記位置及び大きさ決定部から入力した前記モニタの前記表示される位置に前記映像データの大きさで，前記読み込まれた映像データを表示することを特徴とする請求項１３，１４，１５，または１６項のうちいずれか１項に記載の映像印刷装置。
【請求項１８】
前記位置及び大きさ決定部は，
前記映像データの位置及び前記映像データの大きさを可変させ，可変された結果を前記モニタに出力することを特徴とする，請求項１７に記載の映像印刷装置。
【請求項１９】
遠距離映像データディスプレイを制御して操作し，遠隔に表示された映像データを局部的に印刷するプログラムされたプロセッサを備えることを特徴とする，映像印刷装置。
【請求項２０】
前記プログラムされたプロセッサは，
前記映像データを有するメモリカードが前記映像印刷装置に挿入されているか否かを検査し，前記映像印刷装置と情報処理装置間の連結を検査し，前記メモリカードから読み込まれた生成された映像番号を備える映像データを前記情報処理装置に伝送し，前記生成された映像番号のうち，選択された映像番号を前記情報処理装置に伝送して前記選択された映像番号に相応する前記映像データを表示させると共に前記映像印刷装置で印刷要求に応答して前記選択された映像番号に相応する前記表示された映像データを印刷することをさらに行うことを特徴とする，請求項１９に記載の映像印刷装置。
【請求項２１】
前記プログラムされたプロセッサは，前記映像データを表示する際の前記映像データの大きさ及び位置を遠隔に制御することを特徴とする，請求項１９に記載の映像印刷装置。
【発明の詳細な説明】
【０００１】
【発明の属する技術分野】
本発明はメモリカードに保存された映像の印刷に関する。
【０００２】
【従来の技術】
以下，メモリカードインタフェース部を有する複合機器またはデジタルフォトプリンタを映像印刷装置とする場合，従来における映像印刷装置にて行われる映像印刷方法を次の通り説明する。
【０００３】
メモリカードに保存されたデータを読み込んで印刷できる従来の映像印刷装置はメモリカードに保存された多数の映像データのうちユーザが所望する映像データを印刷するために次の通り動作する。
【０００４】
まず，従来の映像印刷装置には，薄膜トランジスタ（ＴＦＴ：Ｔｈｉｎ　Ｆｉｌｍ　Ｔｒａｎｓｉｓｔｏｒ）−液晶表示部（ＬＣＤ：Ｌｉｑｕｉｄ　Ｃｒｙｓｔａｌ　Ｄｉｓｐｌａｙ）が備わる場合，ユーザは所望の映像が上記ＴＦＴ−ＬＣＤにディスプレイ（表示）されるまで，例えばキーボードなどのキー（図示せず。）を操作してメモリカードに保存された映像をスクロールする。
【０００５】
次に，映像をスクロールし，所望の映像がディスプレイされた場合，キーを操作して所望の映像の印刷するよう命令する。ここで，キーは映像印刷装置のユーザインタフェース部（図示せず。）に設けられる。
【０００６】
かかる従来の映像印刷方法はメモリカードに保存された所望の映像を印刷するために高コストであるＴＦＴ−ＬＣＤを備える必要があった。
【０００７】
次に，従来の映像印刷装置において，ＴＦＴ−ＬＣＤを備えず，パソコンと連結している場合，ユーザはメモリカードに保存された映像のうち所望の映像を探すためにパソコンと連結されたモニタを通じて映像をスクロールする。
【０００８】
さらに，映像をスクロールし，所望の映像がモニタに表示された場合，上記所望の映像を印刷するよう映像印刷装置に対して命令する。
【０００９】
なお，映像をスクロールする，または所望の映像がモニタにディスプレイされる時にその映像の印刷を指示するために，パソコンに設置された別の応用プログラムを駆動し，上述したユーザインタフェース部のキーの代わりにパソコンのマウスまたはキーボードを操作する（例えば，特許文献１参照）。なお，本願発明に関連する技術文献情報には，次のものがある。
【００１０】
【特許文献１】
特開平０９−１８６８１２号公報
【発明が解決しようとする課題】
しかしながら，かかる従来の映像印刷方法では，パソコンに対し，実行中である特別な応用プログラムを適当に指示等する必要があるため，（インタフェースする必要があるため），効率的に映像を印刷することができなかった。
【００１１】
その上，メモリカードから読み込まれた映像データが縮小されていない映像データである場合，モニタ全体に映像がディスプレイされる。映像印刷方法
したがって，縮小されていない映像データをディスプレイするモニタと接続されたパソコンに対し，画面が上記映像に占有されているため，モニタ表示等の処理妨害を引き起こしていた。
【００１２】
この時，映像印刷装置はディスプレイされる映像に該当する画像情報をメモリカードから読み込んだ後で映像印刷装置のデータ転換部によりＣＭＹＫフォーマットに変換し，変換されたフォーマットを有するデータを映像印刷装置に出力する。従って，映像印刷装置はディスプレイされる映像を印刷できる。
【００１３】
本発明は，上記問題点に鑑みてなされたものであり，本発明の目的は，メモリカードから読み込まれた映像のうち所望の映像を，モニタを通じて簡単に印刷可能な映像印刷方法，映像印刷装置を提供するところにある。
【００１４】
【課題を解決するための手段】
上記課題を解決するため，本発明の第１の観点によれば，前記課題をなすために，外部のメモリカードから読み込んだ映像データに該当する映像を印刷する映像印刷部と前記映像印刷部に連結自在であってモニタを有するパソコンとにて行われる本発明による映像印刷方法は，前記映像データを有する前記メモリカードが前記映像印刷部に挿入されて前記映像印刷部と前記パソコンとが連結されているか否かを判断する（ａ）段階と，前記映像データを有する前記メモリカードが挿入されて前記映像印刷部と前記パソコンとが連結されたと判断されれば，縮小された（すなわち，圧縮された）映像データを確認したり生成し，前記パソコンに映像番号と共に伝送する（ｂ）段階と，前記映像印刷部から伝送された前記縮小された映像データ及び前記映像番号を保存する（ｃ）段階と，保存した前記縮小された映像データのうち前記映像印刷部から提供されたユーザが選択した映像番号に相応する映像データを前記モニタにディスプレイする（ｄ）段階と，前記ユーザが前記ディスプレイされた映像データの印刷を要求するか否かを判断し，前記ディスプレイされた映像データの印刷を要求していないと判断されれば，前記（ｄ）段階に進む（ｅ）段階及び前記ディスプレイされた映像データの印刷を要求すると判断されれば，前記ディスプレイされた映像データを印刷する（ｆ）段階とよりなることが望ましい。
【００１５】
上記課題を解決するため，本発明の第２の観点によれば，，外部のメモリカードから読み込んだ映像データに該当する映像を印刷する映像印刷部と前記映像印刷部に連結自在なパソコンのモニタとを有する映像印刷装置が提供される。上記映像印刷装置の前記映像印刷部は，前記映像データを有する前記メモリカードの前記映像印刷部への挿入いかん及び前記パソコンとの連結いかんを確認し，確認された結果を制御信号として出力する印刷準備部と，前記制御信号に応答し，縮小された（すなわち，圧縮された）映像データを確認したり生成し，前記パソコンに映像番号と共に伝送するデータ処理部と，ユーザにより操作されて前記映像番号を選択して前記映像の印刷を要求する印刷要求信号を出力するキー操作部及び前記印刷要求信号に応答して前記メモリカードから読み込んだ前記映像データを印刷する印刷部とより構成され，前記パソコンは前記データ処理部から伝送された前記縮小された映像データと前記映像番号とを保存する貯蔵部及び前記キー操作部から選択された前記映像番号に相応する映像データを前記貯蔵部から読み出して前記モニタにディスプレイするディスプレイ制御部より構成されることが望ましい。
【００１６】
上記課題を解決するため，本発明の第３の観点によれば，外部のメモリカードから読み込まれた映像データに該当する映像を印刷する映像印刷部と映像印刷部に連結自在な情報処理装置とで行われる映像印刷方法が提供される。上記映像印刷方法は，映像印刷部にて縮小された映像データを確認するか生成して情報処理装置に映像番号と共に伝送し，映像印刷部から伝送された縮小された映像データ及び映像番号を貯蔵し，映像印刷部から提供された映像データを表示する段階と，映像印刷部での印刷要求に応じ，表示された映像データを映像印刷部で印刷する段階とを備えることを特徴としている。
【００１７】
本発明によれば，情報処理装置は，映像印刷部から伝送される映像番号に基づき，縮小された映像データを表示する。かかる構成により，表示する映像データの印刷要求がなければ，映像番号を変更したり，映像番号を読み飛ばす等で，選択する映像データを簡易に切替えることで，所望の映像データを印刷することができる。
【００１８】
前記映像印刷方法では，前記映像データは可変された位置に可変された大きさで表示されるように構成することができる。
【００１９】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２０】
図１は，本実施の形態にかかるメモリカードを利用した映像印刷方法を説明するためのフローチャートであり，映像を印刷する準備する段階（第２０段階），圧縮された映像データを伝送して保存してディスプレイする段階（第２２〜第２６段階）及び映像データを印刷する段階（第２８及び第３０段階）よりなる。なお，本実施の形態にかかる映像データの圧縮は，例えば，映像データのサイズ及び／又はデータ量を縮小するなどの場合を例示することができる。
【００２１】
図２は，図１に示された映像印刷方法により映像を印刷する装置のブロック図であり，メモリカード４０，映像印刷部４２，パソコン４４及びモニタ４６より構成される。
【００２２】
なお，本実施の形態にかかるパソコンは，映像をモニタに表示させ，映像印刷装置に映像を印刷するよう命令することが可能であれば，かかる例に限定されず，例えば，ノートパソコン，携帯端末，セットトップボックスなどの情報処理装置を例示することができる。
【００２３】
図１に示す映像印刷方法は，図２に示す映像印刷部４２及びパソコン４４にて行われる。ここで，映像印刷部４２は外部のメモリカード４０から読み込んだ映像データに該当する映像を印刷する役割を果たし，パソコン４４を通じてモニタ４６と連結される。
【００２４】
例えば，映像印刷部４２はメモリカード４０とインタフェースするためのインタフェース部（図示せず）を提供する複合機器またはデジタルフォトプリンタに該当する。
【００２５】
ここで，複合機器とはスキャニング機能，プリンティング機能，ファクス機能及び複写機能のうち少なくとも２つの機能を複合的に行える。
【００２６】
本実施の形態にかかる映像印刷方法は，まず映像データを有するメモリカード４０が映像印刷部４２に挿入されて映像印刷部４２とパソコン４４とが連結されているか否かを判断する（第２０段階）。
【００２７】
図３は，図１に示された第２０段階に関する本実施の形態にかかる一実施例２０Ａを説明するためのフローチャートであり，メモリカードの映像印刷部４２への挿入いかん，保存されたデータの種類及び映像印刷部（４２）の連結状態を確認する段階（第５０〜第５４段階）よりなる。
【００２８】
まず，メモリカード４０が映像印刷部４２に挿入されているかを継続的に判断する（第５０段階）。もし，メモリカード４０が映像印刷部４２に挿入されたと判断した場合，メモリカード４０に保存されたデータが映像データであるか否かを判断する（第５２段階）。もし，メモリカード４０に保存されたデータが映像データではないと判断されれば，図１及び図３に示された映像印刷方法を終了する。例えば，第５２段階でメモリカード４０に保存されたデータが映像データではないテキストデータであると判断した場合，図１に示された映像印刷方法を終了する。
しかし，メモリカード４０に保存されたデータが映像データであると判断した場合，映像印刷部４２とパソコン４４とが接続されているか否かを判断する（第５４段階）。
【００２９】
もし，映像印刷部４２とパソコン４４とが接続されたと判断された場合，第２２段階に進む。しかし，映像印刷部４２とパソコン４４とが連結されていないと判断された場合，図１に示す映像印刷方法を終了する。
【００３０】
一方，映像データを有するメモリカード４０が映像印刷部４２に挿入されて映像印刷部４２とパソコン４４とが連結されたと判断し，圧縮された映像データを確認して圧縮された映像データがない場合，圧縮された映像データを生成し，圧縮された映像データを映像番号と共に映像印刷部４２からパソコン４４に伝送する（第２２段階）。
【００３１】
ここで，映像印刷部４２は映像データがメモリカード４０に保存された順に映像番号を生成して管理する。この時，映像印刷部４２にて生成された映像番号はメモリカード４０に映像データが保存された順序により順番が決められて統一されてパソコン４４に伝送される。
【００３２】
図４は，図１に示された第２２段階に関する本実施の形態にかかる第２２段階（２２Ａ）を説明するためのフローチャートであり，圧縮された映像をデータ映像印刷部４２で求めて伝送する段階（第７０〜第７４段階）よりなる。
【００３３】
もし，映像データを有するメモリカード４０が映像印刷部４２に挿入されて映像印刷部４２とパソコン４４とが接続されたと判断されれば，映像印刷部４２はユーザから別途の指示なしにメモリカード４０から読み込んだ映像データに圧縮された映像データが含まれているか否かを自主的に判断する（第７０段階）。
【００３４】
もし，メモリカード４０から読み込んだ映像データに圧縮された映像データが含まれていないと判断した場合，メモリカード４０から読み込んだ映像データを圧縮（すなわち，圧縮）する（第７２段階）。
【００３５】
しかし，メモリカード４０から読み込んだ映像データに圧縮された映像データが含まれていると判断した場合，あるいは第７２段階後に，圧縮された映像データを映像番号と共に映像印刷部４２からパソコン４４に伝送し，第２４段階に進む（第７４段階）。
【００３６】
ここで，映像印刷部４２は圧縮された映像データを臨時的に保存した後でパソコン４４に伝送することもできる。例えば，ＪＰＥＧ（Ｊｏｉｎｔ
Ｐｉｃｔｕｒｅ　Ｅｘｐｅｒｔ　Ｇｒｏｕｐ）の場合，メモリカード４０に保存されたデータフォーマットにてヘッダ部分に圧縮された映像データが含まれもする。
【００３７】
第２２段階後に，パソコン４４は映像印刷部４２から伝送された圧縮された映像データ及び映像番号を保存する（第２４段階）。ここで，パソコン４４は圧縮された映像データと映像番号とをマッチングさせて保存して管理する。
【００３８】
第２４段階後に，パソコン４４は保存した圧縮された映像データのうち映像印刷部４２から提供され，映像印刷部４２でユーザが選択した映像番号に相応する圧縮された映像データをモニタ４６にディスプレイする（第２６段階）。
【００３９】
ここで，モニタ４６にディスプレイされる圧縮された映像データはサムネール映像に該当する。この時，ユーザが選択した映像番号が映像印刷部４２からパソコン４４に提供されない場合，パソコン４４は第２２段階にて保存した圧縮された映像データのうち，映像印刷部４２から最初に提供された上記映像データをモニタ４６にディスプレイする。
【００４０】
第２６段階後に，ユーザがモニタ４６にディスプレイされた映像データの印刷を要求するか否かを判断する（第２８段階）。もし，ユーザがディスプレイされた映像データの印刷を要求していないと判断されれば第２６段階に進む。
【００４１】
図５は，図１に示された第２６段階に関する本実施の形態にかかる第２６段階（２６Ａ）を説明するためのフローチャートであり，映像印刷部４２から提供された映像番号に相応する圧縮された映像データを読み込んでディスプレイする段階（第９０及び第９２段階）及び他の映像番号が提供されるか否かを検査する段階（第９４段階）からなる。
【００４２】
第２４段階後に，パソコン４４は以前に保存した圧縮された映像データ（圧縮映像データ）のうち映像印刷部４２からパソコン４４に提供されて映像印刷部４２で，ユーザから選択された映像番号に相応する圧縮映像データを読み込む（第９０段階）。この時，ユーザにより選択された映像番号がない場合，すなわち，選択された映像番号が映像印刷部４２から与えられない場合，あるいは不正確な映像番号が映像印刷部４２に挿入された場合にパソコン４４は映像印刷部４２から以前に提供されて保存した圧縮映像データのうち最初にあるいは先に提供された圧縮映像データをモニタ４６に読み込んでディスプレイする。
【００４３】
この時，ユーザにより映像番号が選択されるのにかかる時間はパソコン４４により映像データがディスプレイされるのにかかる時間より短い。従って，ユーザにより映像印刷部４２で選択された映像番号に関する映像データがモニタ４６にディスプレイされる前にユーザにより他の映像番号が選択されうる。
【００４４】
ユーザにより映像印刷部４２で映像番号が選択される時間とモニタ４６により映像データがディスプレイされる時間との差を克服するための第９０段階に関する２種類の実施形態を次の通り説明する。
【００４５】
第１の実施形態によれば，第２４段階後に，モニタ４６に映像データがディスプレイされている時にパソコン４４は映像印刷部４２から提供される映像番号を無視し，モニタ４６に映像データがディスプレイされた後にパソコン４４は映像印刷部４２から提供された最後の映像番号に相応する圧縮された映像データを読み出し，第９２段階に進む（第９０段階）。
【００４６】
ここで，パソコン４４が映像印刷部４２から提供された映像番号を無視するということは，映像印刷部４２から提供されたその映像番号に相応する映像データを読み込まないということを意味する。
【００４７】
また，映像印刷部４２から提供された最後の映像番号とは，モニタ４６が映像データをディスプレイしている最中またはディスプレイした後に映像印刷部４２からパソコン４４に入力された映像番号のうち最も遅く入力された映像番号を意味する。
【００４８】
従って，パソコン４４はモニタ４６に映像データがディスプレイされた後にだけ最後の映像番号に相応する映像データをモニタ４６にディスプレイできる。
【００４９】
第２の実施の形態によれば，第２４段階後に，パソコン４４が映像印刷部４２から新しい映像番号を提供される準備ができている時，映像印刷部４２はユーザにより選択された映像番号をパソコン４４に提供し，パソコン４４は映像印刷部４２から提供された選択された映像番号に相応する映像データを読み出し，第９２段階に進む（第９０段階）。
【００５０】
ここで，パソコン４４が新しい映像番号を提供される準備ができている時とは，圧縮映像データをモニタ４６にディスプレイした後を意味する。
【００５１】
結局，モニタ４６に映像データがディスプレイされている最中にユーザから新しい映像番号が選択される場合，上述した第１の実施の形態によれば映像印刷部４２からパソコン４４に新しい映像番号が提供されるとしてもパソコン４４は新しい映像番号を無視する。
【００５２】
一方，上述した第２の実施の形態によれば，パソコン４４が新しい映像番号を提供される準備ができるまで映像印刷部４２からパソコン４４に新しい映像番号が提供さえもされない。
【００５３】
第９０段階後に，パソコン４４は読み込まれた映像データをモニタ４６にディスプレイする（第９２段階）。ここで，パソコン４４に保存される圧縮された映像データは非常に小さいために，映像番号がパソコン４４に入力された時点からモニタ４６にその映像番号に該当する圧縮映像データがディスプレイされる時点までは非常に短い。
【００５４】
この時，パソコン４４は読み込まれた映像データをモニタ４６のある位置に適切な大きさにディスプレイできる。ここで，モニタ４６にて映像データがディスプレイされる位置及びディスプレイされる映像データの大きさは，予め決定されるか，もしくは可変になりもする。
【００５５】
モニタ４６にディスプレイされる映像データの大きさは，モニタ４６がディスプレイする全体画面の一部分に該当する。従って，パソコン４４を使用している他のユーザに妨害を与えずに映像を印刷しようとするユーザは所望の映像をスクロールにより選択できる。
【００５６】
図６は，モニタ４６にディスプレイされる映像データを説明するための図面である。図６に示されたように，モニタ４６を通じてディスプレイされる圧縮映像データ１０２，１０４，１０６または１０８の大きさは全体画面１００の一部に該当する。
【００５７】
また，ユーザは圧縮映像データがディスプレイされる位置をいくつかの位置１０２，１０４，１０６及び１０８のうち，例えばマウス（図示せず）などを利用してあらかじめ選択もでき，選択された位置を後に可変させることもできる。
【００５８】
第９２段階後に，映像印刷部４２からユーザにより選択された他の映像番号が提供されるか否かを判断する（第９４段階）。すなわち，モニタ４６に現在ディスプレイされている映像データを他の映像データに変えることを，すなわちスクロールすることをユーザが願うか否かを判断する。かように，ユーザは映像印刷部４２にて映像番号を異なって選択してモニタ４６に他の映像データをディスプレイできる。
【００５９】
もし，他の映像番号が提供されると判断されれば，例えば現在モニタ４６にディスプレイされる映像データがユーザが印刷することを所望する映像データではないために他の映像データがディスプレイされることをユーザが願うと判断されれば，第９０段階に進む。従って，他の映像番号に該当する映像データが読み込まれてモニタ４６にディスプレイされる（第９０及び第９２段階）。しかし，他の映像番号が提供されないと判断されれば，第２８段階に進む。
【００６０】
結局，図５に示されたように，所望の映像データがモニタ４６にディスプレイされるまで，第９０〜第９４段階が反復的に行われる。
【００６１】
この時，ユーザがディスプレイされた映像データの印刷を要求していないと判断されれば，第９４段階に進む（第２８段階）。すなわち，モニタ４６にディスプレイされた映像データの印刷をユーザが要求しないので，ユーザが異なった映像番号を選択したか否かが再び判断される。
【００６２】
もし，ユーザがモニタ４６に現在ディスプレイされた映像データの印刷を要求すると判断されれば，映像印刷部４２はモニタ４６にディスプレイされた映像データを印刷する（第３０段階）。
【００６３】
図７は，図１に示す第３０段階に関する本実施の形態にかかる第３０段階（３０Ａ）を説明するためのフローチャートであり，メモリカード４０から読み込んだ映像データをイメージ処理して印刷する段階（第１１０〜第１１４段階）よりなる。
【００６４】
もし，モニタ４６にディスプレイされた映像データの印刷をユーザが要求すると判断した場合，映像印刷部４２はモニタ４６に現在ディスプレイされた映像データをメモリカード４０から読み込む（第１１０段階）。
【００６５】
ここで，モニタ４６に現在ディスプレイされた映像データはユーザが印刷しようとする映像データと見なされる。
【００６６】
第１１０段階後に，映像印刷部４２はメモリカード４０から読み込んだ映像データを印刷可能なＣＭＹＫフォーマットに変換するなどのイメージ処理を行う（第１１２段階）。第１１２段階後に，映像印刷部４２はイメージ処理された映像データを印刷する（第１１４段階）。
【００６７】
以下，上述した映像印刷方法を行う本実施の形態にかかるメモリカードを利用した映像印刷装置の構成及び動作を添付した図面を参照して次の通り説明する。
【００６８】
図８は，上述した映像印刷方法を行う本実施の形態にかかる映像印刷装置のブロック図であり，印刷準備部２２０，データ処理部２２２，キー操作部２２４，印刷部２２６，連結応答部２３０，貯蔵部２３２及びディスプレイ制御部２３４より構成される。
【００６９】
ここで，印刷準備部２２０，データ処理部２２２，キー操作部２２４及び印刷部２２６を有する映像印刷部２０２は図２に示された映像印刷部４２に該当し，同じ機能を行う。また，連結応答部２３０，貯蔵部２３２及びディスプレイ制御部２３４を含みうるパソコン２０４は図２に示されたパソコン４４に該当して同じ機能を行う。また，メモリカード２００及びモニタ２０６は図２に示されたメモリカード４０及びモニタ４６にそれぞれ該当して同じ機能を行う。
【００７０】
映像印刷部２０２の印刷準備部２２０は図１に示された第２０段階を行うために，映像データを有するメモリカード２００の挿入いかん及びパソコン２０４と映像印刷部２０２との連結いかんを確認し，確認された結果を制御信号Ｃとしてデータ処理部２２２に出力する。
【００７１】
図９は，図８に示す印刷準備部２２０の本実施の形態にかかる印刷準備部２２０のブロック図であり，センシング部２５０，第１データ検査部２５２及び連結確認部２５４より構成される。
【００７２】
図９に示された印刷準備部２２０Ａは図３に示された第２０Ａ段階を行う役割を果たす。印刷準備部２２０Ａのセンシング部２５０は第５０段階を行うために，メモリカード２００が挿入されているか否かをセンシングし，センシングされた結果を第１データ検査部２５２に出力する。
【００７３】
第５２段階を行うために，第１データ検査部２５２はセンシング部２５０から入力したセンシングされた結果に応答し，メモリカード２００から読み込んで入力端子ＩＮ１を通じて入力したデータの種類を検査し，検査された結果を連結確認部２５４に出力する。例えば，センシング部２５０から入力したセンシングされた結果を通じてメモリカード２００が挿入されたと認識されれば。第１データ検査部２５２は入力端子ＩＮ１を通じて入力したデータの種類を検査する。
【００７４】
第５４段階を行うために，連結確認部２５４は第１データ検査部２５２から入力した検査結果に応答し，パソコン２０４と映像印刷部２０２との接続状況を確認し，確認結果を制御信号Ｃとしてデータ処理部２２２に出力する。
【００７５】
例えば，第１データ検査部２５２から入力した検査された結果を通じてメモリカード２００に保存されたデータが映像データであると認識されれば，連結確認部２５４はパソコン２０４と映像印刷部２０２間の連結関係を確認する。
【００７６】
このために，連結確認部２５４は出力端子ＯＵＴ２を通じてパソコン２０４にインタラプトプロトコルを発し，パソコン２０４から伝送されて入力端子ＩＮ２を通じて入力した応答を確認し，確認された応答を通じて映像印刷部２０２とパソコン２０４とが連結されているか否かを検査する。
【００７７】
このためにパソコン２０４は連結応答部２３０を設けられる。ここで，連結応答部２３０は印刷準備部２２０の連結確認部２５４から出力端子ＯＵＴ２を通じて出力されるインタラプトプロトコルに対する応答を連結確認部２５４に伝送する。
【００７８】
一方，第２２段階を行うために，図８に示されたデータ処理部２２２はメモリカード２００から読み込んだ映像データのフォーマットを変換するなどのイメージ処理を行い，印刷準備部２２０から入力した制御信号Ｃに応答し，圧縮映像データを確認したり，または圧縮映像データを生成し，上記圧縮映像データを映像番号と共にパソコン２０４に伝送する。
【００７９】
図１０は，図８に示すデータ処理部２２２の本実施の形態にかかるデータ処理部２２２のブロック図であり，第２データ検査部２７０，データ圧縮部２７２，映像番号生成部２７４，データ伝送部２７６及びフォーマット変換部２７８より構成される。
【００８０】
図１０に示すフォーマット変換部２７８を除外したデータ処理部２２２Ａは，図４に示す第２２Ａ段階を行う役割を果たす。データ処理部２２２Ａの第２データ検査部２７０は第７０段階を行うために，印刷準備部２２０から入力した制御信号Ｃに応答し，メモリカード２００から読み出して入力端子ＩＮ３を通じて入力した映像データに圧縮された映像データが含まれているか否かを検査し，検査された結果をデータ圧縮部２７２に出力する。
【００８１】
例えば，制御信号Ｃを通じて映像データを保存したメモリカード２００が挿入されてパソコン２０４と映像印刷部２０２とが連結されていると認識されれば，第２データ検査部２７０はメモリカード２００から読み込んだデータの種類を検査する。
【００８２】
第７２段階を行うために，データ圧縮部２７２は第２データ検査部２７０で検査された結果に応答し，メモリカード２００から読み出して入力端子ＩＮ３を通じて入力した映像データから圧縮された映像データを生成し，生成された圧縮された映像データをデータ伝送部２７６に出力する。
【００８３】
例えば，第２データ検査部２７０から入力した検査された結果を通じてメモリカード２００から読み込んだ映像データに圧縮された映像データが含まれていないと認識されれば，データ圧縮部２７２はメモリカード２００から読み込んだ映像データから圧縮された映像データを生成する。
【００８４】
第７４段階を行うために，映像番号生成部２７４及びデータ伝送部２７６が設けられる。ここで，映像番号生成部２７４はメモリカード２００から読み出して入力端子ＩＮ３を通じて入力した映像データそれぞれに固有に割り当てられる映像番号を生成し，生成した映像番号をデータ伝送部２７６に出力する。
【００８５】
この時，データ伝送部２７６は第２データ検査部２７０で検査された結果に応答してメモリカード２００から読み込んで入力端子ＩＮ３を通じて入力した映像データに含まれた圧縮映像データまたはデータ圧縮部２７２から入力した生成された圧縮映像データを映像番号生成部２７４から入力した映像番号と共にパソコン２０４に出力端子ＯＵＴ３を通じて伝送する。
【００８６】
例えば，第２データ検査部２７０で検査された結果を通じて読み込んだ映像データに圧縮された映像データが含まれていないと認識されれば，データ伝送部２７６はデータ圧縮部２７２にて生成された圧縮された映像データを映像番号生成部２７４から入力した映像番号と共にパソコン２０４に出力端子ＯＵＴ３を通じて伝送する。
【００８７】
しかし，第２データ検査部２７０で検査された結果を通じて読み込んだ映像データに圧縮された映像データが含まれていると認識されれば，データ伝送部２７６はメモリカード２００から読み出して入力端子ＩＮ３を通じて入力した圧縮された映像データを映像番号生成部２７４から入力した映像番号と共にパソコン２０４に出力端子ＯＵＴ３を通じて伝送する。
【００８８】
一方，図１０に示されたフォーマット変換部２７８は図７に示された第１１２段階を行うために，入力端子ＩＮ３を通じてメモリカード２００から入力した映像データのＲＧＢフォーマットをＣＭＹＫフォーマットに変換し，変換されたＣＭＹＫフォーマットを有する映像データを出力端子ＯＵＴ４を通じて印刷部２２６に出力する。
【００８９】
図１に示された第２４段階を行うために，パソコン２０４の貯蔵部２３２はデータ処理部２２２から伝送された圧縮された映像データと映像番号とを保存する。ここで，貯蔵部２３２はパソコン２０４の主記憶部またはハードディスクのような補助記憶部になりうる。
【００９０】
第２６段階を行うために，ディスプレイ制御部２３４はキー操作部２２４から選択された映像番号に相応する圧縮された映像データを貯蔵部２３２から読み込み，読み込んだ圧縮された映像データをモニタ２０６に出力する。
【００９１】
この時，モニタ２０６はディスプレイ制御部２３４から入力した圧縮された映像データを入力してディスプレイする。
【００９２】
この時，選択された映像番号を生じさせるために，映像印刷部２０２はキー操作部２２４を設けられる。
【００９３】
ここで，キー操作部２２４はユーザにより操作されて映像番号生成部２７４にて生成された映像番号のうち一つの映像番号を選択する。このために，キー操作部２２４は上向きキー（図示せず）及び下方キー（図示せず）のような多数のキー（図示せず）を設けられる。
【００９４】
この場合，ユーザは上向きキーを操作して映像番号を増やせられ，下方キーを操作して映像番号を減らせられる。この時，キー操作部２２４から選択された映像番号はデータ処理部２２２Ａを通じてディスプレイ制御部２３４に出力されうる。
【００９５】
この場合，図１０に示されたデータ伝送部２７６はキー操作部２２４から入力端子ＩＮ４を通じて入力した選択された映像番号をパソコン２０４のディスプレイ制御部２３４に出力端子ＯＵＴ３を通じて伝送する。
【００９６】
これと異なり，キー操作部２２４から選択された映像番号はデータ処理部２２２を経ないでディスプレイ制御部２３４に直接伝送されもする。
【００９７】
図１１は，図８に示されたディスプレイ制御部２３４の本実施の形態にかかるディスプレイ制御部２３４（２３４Ａ）のブロック図であり，データ読込み部２９０と位置及び大きさ決定部２９２とより構成される。
【００９８】
図５に示す第９０及び第９２段階を行うために，ディスプレイ制御部２３４Ａのデータ読込み部２９０は，映像印刷部２０２から伝送されて入力端子ＩＮ５を介して入力される，キー操作部２２４により選択した映像番号に相応する圧縮映像データを，貯蔵部２３２から読み出し，入力端子ＩＮ６を通じて入力し，入力した圧縮映像データを出力端子ＯＵＴ５を通じてモニタ２０６に出力する。
【００９９】
従って，データ読込み部２９０から出力される映像データがモニタ２０６を通じてディスプレイされうる。
【０１００】
本実施の形態によれば，ディスプレイ制御部２３４Ａは位置及び大きさ決定部２９２をさらに設けられる。
【０１０１】
ここで，位置及び大きさ決定部２９２は，貯蔵部２３２から読み込まれた映像データがディスプレイされるモニタ２０６の画面上の位置及びディスプレイされる映像データの大きさを決定し，決定された位置と大きさとを出力端子ＯＵＴ６を通じてモニタ２０６に出力する。
【０１０２】
この時，モニタ２０６は位置及び大きさ決定部２９２から入力したモニタ２０６の画面上の決定された位置に決定された大きさに圧縮された映像データをディスプレイする。本実施の形態によれば，位置及び大きさ決定部２９２からモニタ２０６に出力される位置及び大きさは予め決定されても，決定されず可変でもよい。
【０１０３】
第２８段階を行うために，キー操作部２２４はユーザにより操作されて映像データの印刷を要求する印刷要求信号を発し，発せられた印刷要求信号を印刷部２２６に出力する。
【０１０４】
このために，キー操作部２２４は映像の印刷を要求する時に押される別途の印刷要求キー（図示せず。）を設けられる。第３０段階を行うために，印刷部２２６はキー操作部２２４から入力した印刷要求信号に応答してデータ処理部２２２から入力したＣＭＹＫフォーマットを有する映像データを印刷し，印刷された結果を出力端子ＯＵＴ１を通じて出力する。
【０１０５】
例えば，印刷要求信号を通じてディスプレイされた映像データの印刷が要求されると認識されれば，印刷部２２６はデータ処理部２２２Ａのフォーマット変換部２７８から入力したＣＭＹＫフォーマットを有する映像データを印刷する。
【０１０６】
ここで，印刷される映像データはモニタ２０６に現在ディスプレイされている映像データに該当する。この時，メモリカード２００から読み込んだ映像データに圧縮された映像データが含まれていない時にディスプレイされる映像データは必ず圧縮された映像データであるために，ディスプレイされる映像データと印刷される映像データの大きさは一致しないこともある。
【０１０７】
一方，図５に示すように，他の映像番号が提供されない時に第２８段階を行うために，キー操作部２２４は映像番号が選択されない時，ユーザがキーを操作して印刷を要求するか否かを検査できる。
【０１０８】
また，印刷が要求されない時に第９４段階が行われるように，キー操作部２２４は印刷が要求されないと認識されればユーザがキーを操作して他の映像信号を選択するか否かを検査できる。
【０１０９】
本実施の形態によれば，図８に示すのとは異なり，映像印刷部２０２とパソコン２０４間にデータが交換される経路は一元化できる。かかる一元化された経路として，映像印刷部２０２とパソコン２０４とをインタフェーシングするインタフェース部（図示せず）が映像印刷部２０２に別途に設けられうる。
【０１１０】
この場合，印刷準備部２２０と連結応答部２３０とはインタフェース部を通じてデータをやり取りし，データ処理部２２２はインタフェース部を通じて貯蔵部２３２で圧縮映像データと映像番号とを伝送し，キー操作部２２４で選択された映像番号はインタフェース部を通じてディスプレイ制御部２３４に伝送される。
【０１１１】
ここで，インタフェース部とパソコン２０４とは汎用直列バスケーブルなどにより連結されうる。
【０１１２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１１３】
【発明の効果】
以上説明したように，本発明によれば，ＴＦＴ−ＬＣＤのような高価なディスプレイ装置を備えなくても，パソコンを操作せず，映像印刷装置だけを操作することで印刷することができる。また，映像の大きさを自動的に変更することで，ディスプレイを共有する他のパソコンの処理を妨害せず，モニタを通じて所望の映像をスクロールしつつ印刷を指示できるため，効率的，低コストで映像をメモリカードから選択し，印刷できる。
【図面の簡単な説明】
【図１】本実施の形態にかかるメモリカードを利用した映像印刷方法を説明するためのフローチャートである。
【図２】図１に示す映像印刷方法による映像を印刷するための装置の制御ブロック図である。
【図３】図１に示す第２０段階を説明するためのフローチャートである。
【図４】図１に示す第２２段階を説明するためのフローチャートである。
【図５】図１に示す第２６段階を説明するためのフローチャートである。
【図６】モニタにディスプレイされる映像データのディスプレイ図面である。
【図７】図１に示す第３０段階を説明するためのフローチャートである。
【図８】図２に示す映像を印刷する装置の細部的な制御ブロック図である。
【図９】図８に示す印刷準備部の制御ブロック図である。
【図１０】図８に示すデータ処理部の制御ブロック図である。
【図１１】図８に示すディスプレイ制御部の制御ブロック図である。
【符号の説明】
４０　：メモリカード
４２　：映像印刷部
４４　：パソコン
４６　：モニタ
【図１】
2004032783.tif 000003
【図２】
2004032783.tif 000004
【図３】
2004032783.tif 000005
【図４】
2004032783.tif 000006
【図５】
2004032783.tif 000007
【図６】
2004032783.tif 000008
【図７】
2004032783.tif 000009
【図８】
2004032783.tif 000010
【図９】
2004032783.tif 000011
【図１０】
2004032783.tif 000012
【図１１】
2004032783.tif 000013